(57)【要約】【課題】  利用者にとってより参考になる文書を効率よく検索できる、文書検索装置を提供する。【解決手段】  文書検索装置１０は、検索条件を入力する検索条件入力部１と、文書データベース２に格納された文書の文書名、前記文書の文書カテゴリ情報を格納する文書属性格納部３と、文書データベース２、及び、文書属性格納部３を参照して、検索条件入力部１から入力された検索条件に基づいて文書を抽出する文書抽出部６と、文書抽出部６で抽出された文書名を出力する検索結果出力部７とを備える。文書抽出部６は、まず文書データベース２、文書属性格納部３を参照して、検索条件入力部１から入力された文書キーワード、文書カテゴリに基づいて文書を抽出する。更には、抽出された文書と同一の文書カテゴリに属する他の文書を抽出する。抽出された文書情報は、業務フェーズの順序に基づいて表示部に出力される。【選択図】    図１
2007011721.tif 000002
【特許請求の範囲】
【請求項１】
文書を格納する文書データベースから所定の文書を検索する文書検索装置であって、
検索条件を入力する検索条件入力部と、
文書データベースに格納された文書の文書名、文書がどの業務において作成されたのかを表す業務カテゴリ情報、文書が前記業務のどのフェーズで作成されたのかを表す業務フェーズ情報、を格納する文書属性格納部と、
文書データベース、及び文書属性格納部を参照して、検索条件入力部から入力された文書キーワード、業務カテゴリ、及び業務フェーズに該当する文書を抽出する該当文書抽出部と、
文書データベース、及び文書属性格納部を参照して、検索条件入力部から入力された文書キーワード、及び業務カテゴリに該当するもので、該当文書抽出部で抽出されなかった他の文書を抽出する関連文書抽出部と、
該当文書抽出部で抽出された文書に関する情報と、関連文書抽出部で抽出された文書に関する情報と、を業務フェーズの順序に基づいて出力する検索結果出力部を備えた、文書検索装置。
【請求項２】
文書を格納する文書データベースから所定の文書を検索する文書検索装置であって、
検索条件を入力する検索条件入力部と、
文書データベースに格納された文書の文書名、文書がどの業務において作成されたのかを表す業務カテゴリ情報、を格納する文書属性格納部と、
文書データベースに格納された文書数を、作成者ごと、文書カテゴリごとに管理する格納文書数管理部と、
格納文書数管理部において、業務カテゴリにおける作成文書数が所定数以上である作成者を該業務カテゴリの専門家と判定する、専門家判定部と、
文書データベースに格納された各文書にアクセスしたアクセス者を管理するアクセス者管理部と、
文書データベース、及び文書属性格納部を参照して、検索条件入力部から入力された文書キーワード、及び業務カテゴリに該当する文書を抽出する文書抽出部と、
文書抽出部で抽出された文書に関する情報を、前記専門家判定部が専門家と判定したアクセス者によるアクセス回数に基づいて出力する検索結果出力部を備えた、文書検索装置。
【発明の詳細な説明】
【技術分野】
【０００１】
本願発明は文書検索装置に関する。
【背景技術】
【０００２】
文書を業務プロセスと関連づけて管理する文書管理装置としては、例えば、特許文献１などに開示されている。
【特許文献１】特開２００３−２９６３６９号公報
【発明の開示】
【発明が解決しようとする課題】
【０００３】
しかしながら、従来の文書検索装置には、以下のような問題があった。（１）類似の業務が複数あった場合、複数業務の文書が検索結果として表示されるが、どの業務がより必要とする業務に近いのか判断できない。（２）類似の業務が複数あった場合、複数の文書が検索結果として表示されるが、どの文書がより業務に役立つ文書か判断できない。
【０００４】
そこで、本発明は、利用者にとってより参考になる文書を効率よく検索できる、文書検索装置を提供することを目的とする。
【課題を解決するための手段】
【０００５】
請求項１は、文書を格納する文書データベースから所定の文書を検索する文書検索装置であって、検索条件を入力する検索条件入力部と、文書データベースに格納された文書の文書名、文書がどの業務において作成されたのかを表す業務カテゴリ情報、文書が前記業務のどのフェーズで作成されたのかを表す業務フェーズ情報、を格納する文書属性格納部と、文書データベース、及び文書属性格納部を参照して、検索条件入力部から入力された文書キーワード、業務カテゴリ、及び業務フェーズに該当する文書を抽出する該当文書抽出部と、文書データベース、及び文書属性格納部を参照して、検索条件入力部から入力された文書キーワード、及び業務カテゴリに該当するもので、前記第１文書抽出部で抽出されなかった文書を抽出する関連文書抽出部と、該当文書抽出部で抽出された文書に関する情報と、関連文書抽出部で抽出された文書に関する情報と、を業務フェーズの順序に基づいて出力する検索結果出力部を備える。
【０００６】
請求項１の文書検索装置によれば、検索結果の文書（＝該当文書）と、その文書に業務で関連する文書（＝関連文書）を出力するので、文書検索装置の利用者は、該当文書が作られた背景情報を知ることができる。これにより、例えば上記検索で該当文書が多く検出された場合、どの該当文書が本当に必要な文書であるかを把握することができる。また、関連文書を表示することにより、利用者の該当文書の理解に役立てることができる。
【０００７】
請求項２は、文書を格納する文書データベースから所定の文書を検索する文書検索装置であって、検索条件を入力する検索条件入力部と、文書データベースに格納された文書の文書名、文書がどの業務において作成されたのかを表す業務カテゴリ情報、を格納する文書属性格納部と、文書データベースに格納された文書数を、作成者ごと、文書カテゴリごとに管理する格納文書数管理部と、格納文書数管理部において、業務カテゴリにおける作成文書数が所定数以上である作成者を該業務カテゴリの専門家と判定する、専門家判定部と、文書データベースに格納された各文書にアクセスしたアクセス者を管理するアクセス者管理部と、文書データベース、及び文書属性格納部を参照して、検索条件入力部から入力された文書キーワード、及び業務カテゴリに該当する文書を抽出する文書抽出部と、文書抽出部で抽出された文書に関する情報を、前記専門家判定部が専門家と判定したアクセス者によるアクセス回数に基づいて出力する検索結果出力部を備える。
【０００８】
請求項２の文書検索装置によれば、専門家が頻繁に使用している文書の順番を表示するので、文書検索装置の利用者は、どの文書がより業務に役に立つのかを容易に判断することができる。
【発明の効果】
【０００９】
本願発明によれば、利用者にとってより参考になる文書を効率よく検索できる、文書検索装置を提供することができる。例えば、文書が作られた背景情報や、専門家が参照した文書の情報を表示することで、利用者はどの文書が本当に必要な文書かを知ることができる。
【発明を実施するための最良の形態】
【００１０】
（文書検索装置１０の構成）
本願発明の文書検索装置の構成例を説明する。図１を参照して、文書検索装置１０は、検索結果入力部１、文書データベース２、文書属性格納部３、格納文書数管理部４、操作履歴管理部５、文書抽出部６、検索結果出力部７、を有している。この文書検索装置１０は、例えばサーバ型の電子計算機により実現される。
【００１１】
検索結果入力部１は、文書検索装置１０の利用者からの検索条件入力を受け付ける。利用者とは、利用者は、例えば文書検索装置１０とネットワークで接続された端末から検索条件入力を行う。
【００１２】
文書データベース２は、様々な文書のデータを蓄積、保存するデータベースである。
【００１３】
文書属性格納部３は、文書データベース２に保存されている文書の属性情報を格納している。図２は、文書属性格納部３内に記憶されているデータの例を示す図である。属性情報とは、例えば、文書の文書名、文書が作成された業務を示す業務カテゴリ情報、文書が作成されたフェーズを示す業務フェーズ情報、文書の作成者名などである。なお、これらのデータは、作成文書の文書ＤＢへの登録時に作成者により入力される。或いは、文書データベース２への登録時に、作成された文書のデータに基づいて自動的に文書属性格納部３の情報が作成されるものであってもよい。
【００１４】
格納文書数管理部４は、文書データベース２に保存されている文書の数を管理する。図３は、格納文書数管理部４内に記憶されているデータの例を示す図である。例えば、業務カテゴリごと、作成者ごとの文書数を管理している。
【００１５】
操作履歴管理部５は、文書データベース２の各文書に対するアクセス履歴などを管理する。図４は、操作履歴管理部５内に記憶されているデータの例を示す図である。この操作履歴管理部５には、アクセス者に関する情報の他、文書データベース２の各文書へのアクセス回数、及び、専門家の文書データベース２の各文書へのアクセスした回数が記録されている。また、図示していないが、操作履歴管理部５は、アクセス履歴を詳細に記録していても良い。
【００１６】
この文書管理装置１０においては、特定の業務カテゴリに属する文書を多く作成した作成者を専門家と定義している。例えば、図３を参照して、業務カテゴリ「ＡＡＡ」における専門家は、作成文書数が多いＸ課長、Ｙ主任である。作成文書数が少ないＺ社員、Ｂ社員は、専門家ではないと判断される。従って、図４の表における「専門家のアクセス回数」とは、このケースではＸ課長とＹ主任のアクセス回数の合計のことを指している。
【００１７】
文書抽出部６は、文書データベース２、文書属性格納部３、格納文書数管理部４などを参照して、検索結果入力部１から入力された検索条件に適合する文書を、文書データベース２から抽出する。
【００１８】
検索結果出力部７は、文書抽出部６により抽出された文書に関する情報を出力する。出力先は、例えば、この文書検索装置１０の利用者の端末である。
【００１９】
図５は、利用者の端末の表示部に表示される検索条件入力画面の例を示したものである。検索条件入力画面には、文書キーワードを入力するためのテキストボックス１１、業務カテゴリを入力するためのテキストボックス１２、業務フェーズを入力するためのテキストボックス１３、検索ボタン１４が表示されている。また、検索の種類を指定するためのチェックボックス１５ａ〜ｃも表示されている。
【００２０】
文書キーワードとは、例えば、文書データベース２の文書内に登場するキーワード、単語、或いは字句である。業務カテゴリは、文書属性格納部３における文書管理単位である業務カテゴリに対応し、業務フェーズは文書属性格納部３の業務フェーズに対応するものである。
【００２１】
また、検索の種類を指定するためのチェックボックスは３種類ある。チェックボックス１５ａにより指定される「通常検索」とは、テキストボックス１１から入力された文書キーワードを含み、かつ、テキストボックス１２から入力された業務カテゴリに属する文書（以後、これを「該当文書」と呼ぶ）を検索するものである。
【００２２】
チェックボックス１５ｂにより指定される「関連文書検索」とは、上記の該当文書、及び、該当文書と同じ業務カテゴリに属する他の文書（以後、これを「関連文書」と呼ぶ）を検索するものである。
【００２３】
また、チェックボックス１５ｃにより指定される「専門家参照文書検索」とは、上記の該当文書検索、或いは、関連文書検索でヒットした文書のうち、専門家が多くアクセスした文書を検索するものである。
【００２４】
（文書検索の処理例１）
図６は、文書検索装置１０により文書検索が行われるときの処理フローの一例を示すものである。
【００２５】
ステップＳ１０では、検索条件入力部１０が、利用者による検索条件の入力を受け付ける。この例では、利用者は、文書キーワードとして、「ＹＹＹＹ」を、業務カテゴリとして「ＡＡＡ」を、業務フェーズとして「結果」を入力したものとする。
【００２６】
ステップＳ１２では、文書抽出部６が、検索条件入力画面のテキストボックス１１から入力された文書キーワード「ＹＹＹＹ」を含む文書を文書データベース２から抽出する。なお、この例では、図７で示すように、「１１１.ｄｏｃ」「１１２.ｄｏｃ」「１１９.ｄｏｃ」の３文書が、文書データベース２の文書中に「ＹＹＹＹ」という字句を含むものであったとする。
【００２７】
ステップＳ１４では、文書抽出部６が、文書属性格納部３を参照して、検索条件入力画面のテキストボックス１２から入力された業務カテゴリに当てはまり、かつ、テキストボックス１３から入力された業務フェーズにも当てはまる文書を、文書データベース２から抽出する。
【００２８】
ステップＳ１６では、上記ステップＳ１２、及びステップＳ１４の両方でヒットした文書を抽出する。このステップＳ１６で抽出された文書が上記で定義した「該当文書」に相当するが、この例では、該当案件は１件もないものとする。
【００２９】
ステップＳ１８では、チェックボックス１５からの入力に応じて処理が分岐される。利用者が関連文書検索を選択した場合（チェックボックス１５ｂがＯＮの場合）、ステップＳ２０へ進む。ステップＳ２０では、文書抽出部６が、文書属性格納部３を参照して、ステップＳ１６で抽出された文書の業務カテゴリと同じ業務カテゴリに属する他の文書（以後、これを「関連文書」と呼ぶ）を抽出する。
【００３０】
そしてステップＳ２２では、文書抽出部６が抽出した結果が、検索結果出力部７を介して、利用者の端末の表示部に表示される。
【００３１】
図８は、このときに、表示部に表示される検索結果画面を示すものである。関連文書が業務のどのフェーズで作成されたものなのかが一目瞭然で分かるように表示されている。
【００３２】
この検索では、利用者が希望する、「文書キーワード：ＹＹＹＹ、業務カテゴリ：ＡＡＡ、業務フェーズ：結果」に該当する案件はなく、この検索結果画面に表示されている文書名は全て関連文書名である。また、下線付きで表示されている文書名「１１１．ｄｏｃ」「１１２.ｄｏｃ」「１１９.ｄｏｃ」は、業務フェーズは異なるものの、「文書キーワード：ＹＹＹＹ、業務カテゴリ：ＡＡＡ、」に該当する案件である。このことから、「結果」フェーズの文書には「ＹＹＹＹ」というキーワードは登場しないものの、他のフェーズの文書には「ＹＹＹＹ」というキーワードが登場していることから、「結果」フェーズの文書「１３０.ｄｏｃ」「１４０．ｄｏｃ」「１５０.ｄｏｃ」のうちのいずれかは、「ＹＹＹＹ」に関連する記載がある可能性が考えられ、これらの文書の中に利用者が知りたい情報が記載されている可能性がある。
【００３３】
ここで、このように、「結果」フェーズには文書キーワード「ＹＹＹＹ」が含まれている文書が１つもないのに対し、他のフェーズには文書キーワード「ＹＹＹＹ」が含まれている文書があるケースとは、例えば、以下のようなものが考えられる。第１には、文書作成者によって用語の使い方が異なり、同じ意味の事柄を表すのに異なる単語を用いている場合である。第２には、業務の状況が変化してしまい、初期の「調査」フェーズや、「計画」フェーズでの業務ターゲットが、「結果」フェーズでの業務ターゲットではなくなった場合が考えられる。
【００３４】
一方、利用者が通常検索を選択した場合（チェックボックス１５ａがＯＮの場合）、ステップＳ２４へ進む。このとき、利用者の端末の表示部には、図９のように、利用者端末の表示画面には、「該当案件はありません」という文字が表示される。
【００３５】
なお、この検索結果画面は、ＨＴＭＬ文書により構成されていてもよい。このとき、利用者は、文書名の箇所をクリックすると、文書データベース２にアクセスして、文書の内容を閲覧することが可能である。
【００３６】
また、上記の検索例では「該当文書」は１件もヒットしなかったが、仮に「実施」フェーズを対象に検索した場合（テキストボックス１３に「実施」と入力した場合）、「１１９.ｄｏｃ」が「該当文書」としてヒットする。このとき、図１０で示すように、利用者端末の表示画面には、「１１９.ｄｏｃ」は他の文書名よりも大きな文字サイズで表示される。
【００３７】
（文書検索の処理例２）
上記の文書検索装置１０を用いた検索処理の他の例を説明する。図１１は、文書検索装置１０により文書検索が行われるときの他の処理フロー例である。
【００３８】
ステップＳ３０では、検索条件入力部１０が、利用者による検索条件の入力を受け付ける。図１２は、このときの入力画面を示すものである。ここでは、利用者はテキストボックス１２に業務カテゴリのみを入力し、テキストボックス１１への文書キーワード、テキストボックス１３への業務フェーズ入力しなかったものと仮定する。また、チェックボックス１５については、チェックボックス１５ｃのみを選択（専門家参照文書検索を選択）したものとして、以後の説明を行う。
【００３９】
ステップＳ３２では、文書抽出部６が、文書属性格納部３を参照して、検索条件入力画面のテキストボックス１２から入力された業務カテゴリに該当する文書を、文書データベース２から抽出する。
【００４０】
ステップＳ３４では、文書抽出部６が、操作履歴管理部５を参照して、専門家がアクセスした回数に基づいて、ステップＳ３２で抽出された文書に対して順序づけを行う。
【００４１】
そして、ステップＳ３６では、検索結果出力部７は、抽出された文書の文書名を、その順序づけに従って出力する。
【００４２】
図１３は、検索結果出力部７の出力を利用者の端末の表示部に表示させた検索結果画面である。検索結果画面では、「１１１.ｄｏｃ」「１１２.ｄｏｃ」「１２０.ｄｏｃ」「１１６.ｄｏｃ」「１１３.ｄｏｃ」が、専門家が多くアクセスした文書であるとして、表示されている。
【００４３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００４４】
例えば、専門家の定義方法としては、上記のように「単一の業務カテゴリ内における作成文書数が多い人」を専門家とする以外にも、「類似する複数の業務カテゴリにおける作成文書数が多い人」を専門家と定義しても良い。
【符号の説明】
【００４５】
１  検索結果入力部
２  文書データベース
３  文書属性格納部
４  格納文書数管理部
５  操作履歴管理部
６  文書抽出部
７  検索結果出力部
【図面の簡単な説明】
【００４６】
【図１】文書検索装置１０の構成を示す図である。
【図２】文書属性格納部３内に記憶されているデータの例を示す図である。
【図３】格納文書数管理部４内に記憶されているデータの例を示す図である。
【図４】操作履歴管理部５内に記憶されているデータの例を示す図である。
【図５】利用者の端末の表示部に表示される検索条件入力画面の例を示したものである。
【図６】文書検索装置１０により文書検索が行われるときの処理フローを示すものである。
【図７】ステップＳ１２においてヒットした文書である。
【図８】表示部に表示される検索結果画面を示すものである。
【図９】表示部に表示される検索結果画面を示すものである。
【図１０】表示部に表示される検索結果画面を示すものである。
【図１１】文書検索装置１０により文書検索が行われるときの処理フローである。
【図１２】ステップＳ３０での入力画面を示すものである。。
【図１３】文書検索装置１０により文書検索が行われるときの処理フローである。
【図１】
2007011721.tif 000003
【図２】
2007011721.tif 000004
【図３】
2007011721.tif 000005
【図４】
2007011721.tif 000006
【図５】
2007011721.tif 000007
【図６】
2007011721.tif 000008
【図７】
2007011721.tif 000009
【図８】
2007011721.tif 000010
【図９】
2007011721.tif 000011
【図１０】
2007011721.tif 000012
【図１１】
2007011721.tif 000013
【図１２】
2007011721.tif 000014
【図１３】
2007011721.tif 000015